(57)【要約】【課題】収容ケース内に蒸気が浸入する恐れを低減することができて、その上、収容ケースの取り付けが簡単な家庭用電気製品のシール構造およびそれを備えた炊飯器を提供する。【解決手段】収容ケース２０９は、操作ボタン２１３や制御装置２１４などを搭載するプリント基板２１２を収容し、底部２０９ａおよび側壁２０９ｂを有している。操作パネル２０７は、収容ケース２０９の側壁２０９ｂに外嵌する嵌合部２０７ａを有している。収容ケース２０９の側壁２０９ｂの側方に、収容ケース２０９の側壁２０９ｂと操作パネル２０７の嵌合部２０７ａとの間をシールするパッキン２１５を配置している。【選択図】図１
2013150748.tif 000002
【特許請求の範囲】
【請求項１】
電気部品を収容すると共に、底部および側壁を有する収容ケースと、
上記収容ケースを覆うと共に、上記収容ケースの上記側壁に外嵌または内嵌する嵌合部を有する蓋部材と、
上記収容ケースの上記側壁の側方に配置され、上記収容ケースの上記側壁と上記蓋部材の上記嵌合部との間をシールするシール部材と
を備えることを特徴とする家庭用電気製品のシール構造。
【請求項２】
請求項１に記載の家庭用電気製品のシール構造において、
上記シール部材の外周面または内周面には、上記蓋部材側から上記収容ケース側に向かって徐々に厚みが増す断面略三角形状のリップ部が設けられていることを特徴とする家庭用電気製品のシール構造。
【請求項３】
請求項１または２に記載の家庭用電気製品のシール構造において、
上記蓋部材は、上記収容ケースの上記側壁の先端が当接する段部を有することを特徴とする家庭用電気製品のシール構造。
【請求項４】
請求項３に記載の家庭用電気製品のシール構造において、
上記収容ケースは、上記電気部品の一部が挿入される貫通孔を有することを特徴とする家庭用電気製品のシール構造。
【請求項５】
請求項１から４までのいずれか一項に記載の家庭用電気製品のシール構造を備えたことを特徴とする炊飯器。
【発明の詳細な説明】
【技術分野】
【０００１】
本発明は、例えば電気炊飯器や電動ポット等に使用される家庭用電気製品のシール構造に関し、また、その家庭用電気製品のシール構造を備えた炊飯器に関する。
【背景技術】
【０００２】
従来、家庭用電気製品のシール構造としては、特開２０１１−２５１０３２号公報(特許文献１)の電気炊飯器に設けられたものがある。より詳しくは、上記電気炊飯器は、炊飯器本体上に、図３に示す蓋体１００１を備えている。この蓋体１００１内には、電気部品１００３を収容する収容ケース１００２を配置している。この収容ケース１００２は蓋体１００１の内面の所定箇所にネジ１００４，１００５で取り付けられており、収容ケース１００２の取り付け方向の端面と蓋体１００１の内面との間にはシール部材１００６が介在する。
【０００３】
なお、図３は、特開２０１１−２５１０３２号公報の電気炊飯器のシール構造を判り易く説明するために模式化した図であり、特開２０１１−２５１０３２号公報に記載された図ではない。
【先行技術文献】
【特許文献】
【０００４】
【特許文献１】特開２０１１−２５１０３２号公報
【発明の概要】
【発明が解決しようとする課題】
【０００５】
ところで、上記蓋体１００１に収容ケース１００２を取り付けるとき、ネジ１００４，１００５の締め付けに伴い、シール部材１００６が圧縮される。このとき、シール部材１００６の反発力が収容ケース１００２の取り付け方向とは反対方向に作用するため、シール部材１００６のシール面積(シール部材１００６と蓋体１００１の内面との接触面積)が少なくなり、蓋体１００１の内面に対するシール部材１００６の接触が線接触になることがある。したがって、収容ケース１００２内に蒸気が浸入する恐れが高くなってしまうという問題がある。
【０００６】
また、上記シール部材１００６の反発力が収容ケース１００２の取り付け方向とは反対方向に作用するため、ネジ１００４，１００５の締め付けに力がいるが、ネジ１００４，１００５を強く締め付けすぎると、シール部材１００６が過度に変形する。その結果、上記収容ケース１００２内に蒸気が浸入する恐れをさらに高めてしまう。したがって、上記ネジ１００４，１００５の締め付けには注意を要し、収容ケース１００２の取り付けが難しいという問題もある。
【０００７】
そこで、本発明の課題は、収容ケース内に蒸気が浸入する恐れを低減することができて、その上、収容ケースの取り付けが簡単な家庭用電気製品のシール構造およびそれを備えた炊飯器を提供することにある。
【課題を解決するための手段】
【０００８】
上記課題を解決するため、本発明の家庭用電気製品のシール構造は、
電気部品を収容すると共に、底部および側壁を有する収容ケースと、
上記収容ケースを覆うと共に、上記収容ケースの上記側壁に外嵌または内嵌する嵌合部を有する蓋部材と、
上記収容ケースの上記側壁の側方に配置され、上記収容ケースの上記側壁と上記蓋部材の上記嵌合部との間をシールするシール部材と
を備えることを特徴としている。
【０００９】
上記構成によれば、上記蓋部材の嵌合部が収容ケースの側壁に外嵌または内嵌するように、蓋部材に収容ケースを取り付けるとき、収容ケースの側壁の側方にシール部材を配置しているので、収容ケースの取り付け方向(蓋部材に収容ケースを近づける方向)とは反対方向に作用するシール部材の反発力を小さくすることができる。したがって、上記シール部材のシール面積が少なくならないようして、収容ケース内に水蒸気が浸入する恐れを低減することができる。
【００１０】
また、上記蓋部材への収容ケースの取り付けにネジを使用する場合、収容ケースの取り付け方向とは反対方向に作用するシール部材の反発力を小さくすることができるので、ネジを強く締め付けなくても、蓋部材に収容ケースを確実に取り付けることができる。したがって、上記収容ケースの取り付けを簡単にすることができる。
【００１１】
一実施形態の家庭用電気製品のシール構造では、
上記シール部材の外周面または内周面には、上記蓋部材側から上記収容ケース側に向かって徐々に厚みが増す断面略三角形状のリップ部が設けられている。
【００１２】
上記実施形態によれば、上記シール部材の外周面または内周面には、蓋部材側から収容ケース側に向かって徐々に厚みが増す断面略三角形状のリップ部が設けられているので、収容ケースの側壁に対する蓋部材の嵌合部の外嵌または内嵌が容易になると共に、蓋部材の嵌合部から収容ケースの側壁が離間し難くなる。
【００１３】
一実施形態の家庭用電気製品のシール構造では、
上記蓋部材は、上記収容ケースの上記側壁の先端が当接する段部を有することを特徴とする。
【００１４】
上記実施形態によれば、上記収容ケースの側壁の先端を蓋部材の段部に当接させることにより、蓋部材に対する収容ケースの位置が簡単に決まる。したがって、上記収容ケースの側壁への蓋部材の嵌合部の外嵌または内嵌がさらに容易になる。
【００１５】
一実施形態の家庭用電気製品のシール構造では、
上記収容ケースは、上記電気部品の一部が挿入される貫通孔を有する。
【００１６】
上記実施形態によれば、上記収容ケースの貫通孔に上記電気部品の一部を挿入するとき、上記収容ケースの側壁の先端を蓋部材の段部に当接させることにより、電気部品の一部の挿入量を目的値から大きく外れるのを防ぐことができる。
【００１７】
本発明の炊飯器は、本発明の家庭用電気製品のシール構造を備えたことを特徴としている。
【００１８】
上記構成によれば、上記家庭用電気製品のシール構造を備えるので、水蒸気による故障を防いで、信頼性を高めることができる。
【発明の効果】
【００１９】
本発明の家庭用電気製品のシール構造は、電気部品を収容すると共に、底部および側壁を有する収容ケースと、この収容ケースを覆うと共に、収容ケースの側壁に外嵌または内嵌する嵌合部を有する蓋部材と、収容ケースの側壁の側方に配置され、収容ケースの側壁と蓋部材の嵌合部との間をシールするシール部材とを備えるという構成によって、蓋部材の嵌合部が収容ケースの側壁に外嵌または内嵌するように、蓋部材に収容ケースを取り付けるとき、収容ケースの側壁の側方にシール部材を配置しているので、収容ケースの取り付け方向とは反対方向に作用するシール部材の反発力を小さくすることができる。したがって、上記シール部材のシール面積が少なくならないようして、収容ケース内に水蒸気が浸入する恐れを低減することができる。
【００２０】
また、上記蓋部材への収容ケースの取り付けにネジを使用する場合、収容ケースの取り付け方向とは反対方向に作用するシール部材の反発力を小さくすることができるので、ネジを強く締め付けなくても、蓋部材に収容ケースを確実に取り付けることができる。したがって、上記収容ケースの取り付けを簡単にすることができる。
【００２１】
本発明の炊飯器は、上記家庭用電気製品のシール構造を備えるので、水蒸気による故障を防いで、信頼性を高めることができる。
【図面の簡単な説明】
【００２２】
【図１】図１は本発明の一実施の形態の家庭用電気製品のシール構造を備えた電気炊飯器の概略断面図である。
【図２】図２は図１の一部の拡大図である。
【図３】図３は従来の家庭用電気製品のシール構造を説明するための模式図である。
【発明を実施するための形態】
【００２３】
以下、本発明の家庭用電気製品のシール構造および炊飯器を図示の実施の形態により詳細に説明する。
【００２４】
図１は、本発明の一実施形態の家庭用電気製品のシール構造を備えた電気炊飯器の概略断面図である。
【００２５】
上記電気炊飯器は、炊飯器本体１と、この炊飯器本体１に開閉可能に取り付けられた蓋体２と、炊飯器本体１に収納され、米や水などを収容する有底円筒形状の内鍋３とを備えている。
【００２６】
上記炊飯器本体１は、外ケース１０１と、内鍋３が収納される内ケース１０２とを有する。また、炊飯器本体１の前部にはラッチ機構１０３が設けられており、蓋体２は前部がラッチ機構１０３に解除可能に係止されて閉じた状態となる。この状態で、外ケース１０１の前部から露出する開ボタン１０４を押すと、ラッチ機構１０３の係止が解除されて、コイルバネ１０５の付勢力で蓋体２が開くようになっている。
【００２７】
上記内ケース１０２は、耐熱性および電気絶縁性を有する材料で形成されている。内ケース１０２の底部の中央部上には上下方向に移動可能に可動部材１０６を配置している。この可動部材１０６の上部には接触式の温度センサ１０７が取り付けられている。内鍋３を内ケース１０２に収納すると、可動部材１０６および伝熱板１０８が内鍋３の底部に接触する。このとき、コイルバネ１１０が可動部材１０６を上方に付勢しているので、可動部材１０６の上部が内鍋３の底部に確実に接触する。また、内ケース１０２の底部上には、内鍋３を加熱するための伝熱板１０８を配置している。この伝熱板１０８内にはヒータ１０９を埋め込んでおり、伝熱板１０８はヒータ１０９の熱を内鍋３の底部に伝える。
【００２８】
上記内鍋３は、例えばアルミニウムなどの高熱伝導部材で形成され、高熱伝導部材の内面に被加熱物の付着を防ぐためのフッ素樹脂をコーティングしている。上記高熱伝導部材はプレスまたは鋳造で成型される。
【００２９】
上記蓋体２は、後部が炊飯器本体１に回動可能に取り付けられた外蓋２０１と、この外蓋２０１の内鍋３側の突起部２０１ａに樹脂製のパッキン２０３を介して着脱可能に取り付けられた内蓋２０２とを有している。この内鍋２０２には蒸気排出筒２０４を取り付けて、内鍋３内の蒸気が蒸気排出筒２０４内を通って排気通路２０５へ流出することが可能になっている。この排気通路２０５の蒸気は外蓋２０１の排気口(図示せず)から外蓋２０１外へ排出される。
【００３０】
上記外蓋２０１の内蓋２０２側とは反対側には、操作パネル２０７が取り付けられる操作パネル取付部材２０６を設けている。この操作パネル取付部材２０６の後部と外蓋２０１の蒸気排出筒２０４近傍の部分との間には、樹脂製のパッキン２０８の一部を配置して、排気通路２０５の蒸気が操作パネル取付部材２０６と外蓋２０１の間に浸入しないようにしている。なお、操作パネル２０７は蓋部材の一例である。
【００３１】
上記操作パネル２０７は収容ケース２０９を覆っている。より詳しくは、操作パネル２０７の周縁部は操作パネル取付部材２０６に接着材で接着されており、操作パネル２０７の操作パネル取付部材２０６側の部分には収容ケース２０９の底部２０９ａの周縁部がネジ２１０，２１１で取り付けられている。この収容ケース２０９内には、操作ボタン２１３や、マイクロコンピュータと入出力回路などからなる制御装置２１４などを搭載するプリント基板２１２を収容している。また、操作パネル２０７には貫通孔２１９を設け、この貫通孔２１９に操作ボタン２１３の先端部を挿入している。また、操作パネル２０７の外側の表面には、貫通孔２１９を塞ぐように樹脂フィルム２１６を貼り付けている。このとき、操作ボタン２１３の先端は操作パネル２０７の外側の表面より外側に位置するため、樹脂フィルム２１６の貫通孔２１９上の部分は樹脂フィルム２１６の他の部分よりも少し盛り上がる。なお、プリント基板２１２、操作ボタン２１３および制御装置２１４は電気部品の一例である。
【００３２】
上記収容ケース２０９は、底部２０９ａと、この底部２０９ａ上に立設された側壁２０９ｂとを有している。この収容ケース２０９の側壁２０９ｂには、操作パネル２０７が有する筒状の嵌合部２０７ａが外嵌している。また、収容ケース２０９の側壁２０９ｂの側方に樹脂性のパッキン２１５を配置して、収容ケース２０９の側壁２０９ｂと嵌合部２０７ａとの間をパッキン２１５でシールしている。なお、パッキン２１５はシール部材の一例である。
【００３３】
図２は、図１の一部を拡大した図である。
【００３４】
上記操作パネル２０７は、収容ケース２０９の側壁２０９ｂの先端が当接する段部２１６を有している。また、収容ケース２０９の側壁２０９ｂの外周面には環状溝２１７を設け、この環状溝２１７にパッキン２１５を嵌め込んでいる。このパッキン２１５の外周面には断面略三角形状の第１，第２リップ部２１５ａ，２１５ｂを設けている。第１，第２リップ部２１５ａ，２１５ｂは、操作パネル２０７側から収容ケース２０９側に向かって徐々に肉厚が厚くなっている。
【００３５】
上記構成の電気炊飯器の組立工程では、収容ケース２０９に、操作ボタン２１３および制御装置２１４などを搭載したプリント基板２１２をネジ２１８で取り付ける。そして、収容ケース２０９の側壁２０９ｂに操作パネル２０７の嵌合部２０７ａを外嵌させ、ネジ２１０，２１１を締め付けて、操作パネル２０７に収容ケース２０９を固定する。このとき、パッキン２１５が収容ケース２０９の側壁２０９ｂの側方にあるので、収容ケース２０９の取り付け方向とは反対方向に作用するパッキン２１５の反発力を小さくすることができる。したがって、パッキン２１５のシール面積が少なくならないようして、収容ケース２０９内に水蒸気が浸入する恐れを低減することができる。すなわち、信頼性を向上させることができる。
【００３６】
また、上記収容ケース２０９の取り付け方向とは反対方向に作用するパッキン２１５の反発力を小さくすることができるので、ネジ２１０，２１１を強く締め付けなくても、操作パネル２０７に収容ケース２０９を確実に固定することができる。したがって、収容ケース２０９の取り付けを簡単にすることができる。
【００３７】
また、上記第１，第２リップ部２１５ａ，２１５ｂの断面形状は、操作パネル２０７側から収容ケース２０９側に向かって徐々に肉厚が厚くなる略三角形状であるので、収容ケース２０９の側壁２０９ｂへの操作パネル２０７の嵌合部２０７ａの外嵌が容易になると共に、操作パネル２０７の嵌合部２０７ａから収容ケース２０９の側壁２０９ｂが離間し難くなる。
【００３８】
また、上記操作パネル２０７の段部２１６に収容ケース２０９の側壁２０９ｂの先端を当接させることにより、操作パネル２０７に対する収容ケース２０９の位置が簡単かつ正確に決まる。したがって、収容ケース２０９の側壁２０９ｂへの操作パネル２０７の嵌合部２０７ａの外嵌がさらに容易になる。
【００３９】
また、上記操作パネル２０７に対する収容ケース２０９の位置が正確に決まるので、操作パネル２０７の貫通孔２１９に対する操作ボタン２１３の先端部の挿入量が目的量から大きく外れるのを防ぐことができる。
【００４０】
上記操作パネル２０７の貫通孔２１９に対する操作ボタン２１３の先端部の挿入量、つまり、操作ボタン２１３の先端が操作パネル２０７の外側の表面よりどれぐらい外側に位置させるかは、非常に重要であり、操作ボタン２１３の先端を正確に所望箇所に位置させる必要がある。もし、操作ボタン２１３の先端が所望箇所からずれた箇所に位置すれば、この位置ずれを修正するための作業を行わなければならず、組み立て効率が低下してしまう。
【００４１】
したがって、上記操作ボタン２１３の先端を正確に所望箇所に位置させることができるのは、非常に有益である。
【００４２】
上記実施形態では、操作パネル２０７は、収容ケース２０９の側壁２０９ｂに外嵌する筒状の嵌合部２０７ａを有していたが、収容ケース２０９の側壁２０９ｂに内嵌する筒状の嵌合部を有するようにしてもよい。このようにする場合、収容ケース２０９の側壁２０９ｂの内周面に環状溝を設け、この環状溝にパッキンを嵌め込むようにしてもよい。
【００４３】
上記実施形態では、収容ケース２０９の側壁２０９ｂの外周面に、パッキン２１５を取り付けていたが、このパッキン２１５の換わりに例えば断面逆Ｕ字状のパッキンを取り付けてもよい。
【００４４】
上記実施形態のパッキン２０３，２０８，２１５の材料としては、例えば、ニトリルゴム、スーパーラバー、フッ素ゴム、エチレンプロピレンゴム、布入りフェノール、ポリアミドおよびフッ素樹脂などがあるが、耐熱性を有する材料であることが好ましい。
【００４５】
本発明の家庭用電気製品のシール構造は、電気炊飯器以外にも、例えば洗濯機等のように水を使用する家庭用電気製品に対して有効であり、蒸気が発生する乾燥機や電動ポット等に特に有効である。
【符号の説明】
【００４６】
２０７…操作パネル
２０７ａ…嵌合部
２０９…収容ケース
２０９ａ…底部
２０９ｂ…側壁
２１２…プリント基板
２１３…操作ボタン
２１４…制御装置
２１５…パッキン
２１５ａ…第１リップ部
２１５ｂ…第２リップ部
２１６…段部
【図１】
2013150748.tif 000003
【図２】
2013150748.tif 000004
【図３】
2013150748.tif 000005